(57)【特許請求の範囲】
【請求項１】
通常電力モードと通常電力モードより消費電力の小さい省電力モードとを切り替え可能であり、外部装置が接続可能なファクシミリ複合機において、
公衆通信回線を介して受信したファクシミリ通信情報を復号化するファクシミリ通信部と、
上記外部装置からの要求信号を受信する外部インターフェース部と、
上記ファクシミリ通信部及び上記外部インターフェース部へ電源を供給する電源供給部と、
上記外部装置との接続可及び非接続のいずれかを示すユーザ設定情報を記憶するユーザ設定記憶部と、
上記外部インターフェース部が、上記外部装置の接続状態を検出する接続検出部とを備え、
上記ユーザ設定情報は、ユーザの操作により変更可能であり、
省電力モード時に、上記電源供給部は、上記ファクシミリ通信部への電源供給を遮断し、通常電力モード時に、上記電源供給部は、上記ファクシミリ通信部への電源供給を行い、
省電力モード時であって上記ユーザ設定記憶部により非接続を示す上記ユーザ設定情報が記憶されている時に、上記電源供給部は、上記外部インターフェース部への電源供給を遮断し、通常電力モード時又は上記ユーザ設定記憶部により接続可を示す上記ユーザ設定情報が記憶されている時に、上記電源供給部は、上記外部インターフェース部への電源供給を行い、
上記ユーザ設定記憶部は、通常電力モード時に上記外部装置との接続が検出された場合に、接続可を示すように上記ユーザ設定情報を変更することを特徴とするファクシミリ複合機。
【請求項２】
上記接続検出部により上記外部装置の接続が検出されている場合に、非接続を示すように上記ユーザ設定情報を変更するユーザ操作が無効になることを特徴とする請求項１に記載のファクシミリ複合機。
【発明の詳細な説明】
【技術分野】
【０００１】
本発明は、ファクシミリ複合機に係り、更に詳しくは、単体でファクシミリ装置として使用されるとともに、パーソナルコンピュータなどの情報処理装置に接続すれば、当該情報処理装置の周辺機器としても使用可能なファクシミリ複合機の改良に関する。
【背景技術】
【０００２】
一般に、ファクシミリ装置は、公衆通信回線を介して画像情報の送受信を行うモデム部と、紙媒体から画像情報を光学的に読み取るスキャナ部と、紙媒体に画像情報を記録するプリンタ部とを備えて構成される。そして、ファクシミリ送信時には、スキャナ部によって紙媒体から読み取られた文書情報が、モデム部を介して公衆通信回線へ送信される。また、ファクシミリ受信時には、モデムが受信した文書情報が、プリンタによって紙媒体に記録される。
【０００３】
ファクシミリ受信は、他のファクシミリ装置からの着信によって開始されるため、着信側ではファクシミリ受信の時期を予測することはできない。このため、ファクシミリ装置は、何時でもファクシミリ受信が開始可能な状態を維持して待機させておく必要がある。この待機時間は、ファクシミリ受信時間に比べて遙かに長いことから、ファクシミリ装置における平均消費電力は、待機時の消費電力によって大きな影響を受ける。従って、ファクシミリ装置の場合、待機時の消費電力を削減することが重要な課題となっている。
【０００４】
この様な事情から、従来のファクシミリ装置には、「省電力モード」と呼ばれる低消費電力の動作モードを有し、待機時には省電力モードへ移行させることによって消費電力を削減しているものがあった（例えば、特許文献１）。特許文献１に開示されたファクシミリ装置では、通常電力モード及び省電力モードの切り替えが可能であり、省電力モード時には、通常電力モードへ復帰させるのに必要な部位以外への電力供給を削減している。
【０００５】
次に、最近のファクシミリ装置は、パーソナルコンピュータ（以下、ＰＣと略す）を接続すれば、当該ＰＣの周辺機器、例えばプリンタ装置やスキャナ装置としても使用可能であるものが少なくない。このようなファクシミリ装置は、ファクシミリ複合機と呼ばれている。
【０００６】
ファクシミリ複合機の場合、ＰＣを接続するための外部インターフェース部を内蔵し、ＰＣからの要求に基づいて、内部のプリンタ部やスキャナ部を動作させる。このため、ファクシミリ複合機にＰＣが接続されていれば、通常電力モード及び省電力モードのいずれであるかに関わらず、外部インターフェース部に対して、常に電源を供給しておく必要があった。
【０００７】
一方、ファクシミリ複合機にＰＣが接続されていなければ、外部インターフェース部への電源供給を遮断することもできるが、このような場合であっても、ユーザがファクシミリ複合機にＰＣを接続すれば、外部インターフェース部への電源供給を開始する必要がある。このため、従来の一般的なファクシミリ複合機では、外部インターフェース部に対して常に電源供給を行っている。この結果、ＰＣが接続されていないにもかかわらず、また、省電力モードであるにもかかわらず、外部インターフェース部では常に電力が消費され、ファクシミリ装置の待機時における消費電力を増大させているという問題があった。
【０００８】
そこで、ＰＣとの接続状態に応じて、外部インターフェース部への電源供給を行うファクシミリ装置が提案されている（例えば、特許文献２）。特許文献２に開示されたファクシミリ複合機では、ＵＳＢコネクタのＶ−ｂｕｓ信号を監視して、ＰＣの接続状態を検出するＶ−ｂｕｓ検出回路を備え、ＰＣが接続されていない場合には、ＵＳＢコントローラへの電源供給を遮断している。このファクシミリ複合機の場合、ＰＣが接続されていなければ、ＵＳＢコントローラにおける電力消費を低減することができるが、Ｖ−ｂｕｓ検出回路については、常に電源供給を行っておく必要があるという問題があった。
【特許文献１】特開２００５−０３５２５５号公報
【特許文献２】特開２００４−１３０５６１号公報
【発明の開示】
【発明が解決しようとする課題】
【０００９】
本発明は上記の事情に鑑みてなされたものであり、外部装置を接続可能なファクシミリ複合機における待機時の消費電力を低減することを目的とする。特に、通常電力モード及び省電力モードを自動的に切り替えるファクシミリ複合機において、省電力モード時の消費電力をユーザの使用形態に応じて低減することを目的とする。さらに、操作性の良好なファクシミリ複合機を提供することを目的とする。
【課題を解決するための手段】
【００１０】
第１の本発明によるファクシミリ複合機は、通常電力モードと通常電力モードより消費電力の小さい省電力モードとを切り替え可能であり、外部装置が接続可能なファクシミリ複合機において、公衆通信回線を介して受信したファクシミリ通信情報を復号化するファクシミリ通信部と、上記外部装置からの要求信号を受信する外部インターフェース部と、上記ファクシミリ通信部及び上記外部インターフェース部へ電源を供給する電源供給部と、上記外部装置との接続可及び非接続のいずれかを示すユーザ設定情報を記憶するユーザ設定記憶部と、上記外部インターフェース部が、上記外部装置の接続状態を検出する接続検出部とを備え、上記ユーザ設定情報は、ユーザの操作により変更可能であり、省電力モード時に、上記電源供給部は、上記ファクシミリ通信部への電源供給を遮断し、通常電力モード時に、上記電源供給部は、上記ファクシミリ通信部への電源供給を行い、省電力モード時であって上記ユーザ設定記憶部により非接続を示す上記ユーザ設定情報が記憶されている時に、上記電源供給部は、上記外部インターフェース部への電源供給を遮断し、通常電力モード時又は上記ユーザ設定記憶部により接続可を示す上記ユーザ設定情報が記憶されている時に、上記電源供給部は、上記外部インターフェース部への電源供給を行い、
上記ユーザ設定記憶部は、通常電力モード時に上記外部装置との接続が検出された場合に、接続可を示すように上記ユーザ設定情報を変更するように構成される。
【００１１】
この様な構成によれば、ファクシミリ通信部への電源供給の遮断が、動作モードに基づいて行われる一方、外部インターフェース部への電源供給の遮断には、上記動作モードに加えて、ユーザにより変更可能なユーザ設定情報が用いられる。このため、ユーザによるファクシミリ複合機の使用形態に応じて消費電力を削減することができる。また、このような消費電力の削減を行うか否かの選択をユーザ自身が行うことができる。また、ファクシミリ通信部への電源供給を遮断する省電力モード時に、ユーザ設定情報に基づいて、外部インターフェース部への電源供給を遮断することができる。このため、ユーザの使用形態に応じて、省電力モード時における消費電力を削減することができる。また、非接続を示すユーザ設定情報が記憶されている場合であっても、外部装置の接続状態が検出されれば、ユーザ設定情報を自動的に変更し、その後の省電力モードにおいて、外部インターフェース部への電源供給が遮断されないようにすることができる。このため、ユーザがユーザ設定情報を変更しなくても、省電力モード時に外部装置との通信を行うことが可能となり、ファクシミリ複合機の操作性を向上させることができる。
【００１８】
第２の本発明によるファクシミリ複合機は、上記構成に加えて、上記接続検出部により上記外部装置の接続が検出されている場合に、非接続を示すように上記ユーザ設定情報を変更するユーザ操作が無効になるように構成される。
【００１９】
この様な構成により、外部装置が接続されている場合に、ユーザが誤ってユーザ設定情報を変更するのを防止することができ、ユーザの操作ミスにより、省電力モード時に外部装置との通信を行うことができなくなるのを防止することができる。
【発明の効果】
【００２０】
本発明によれば、外部装置を接続可能なファクシミリ複合機における待機時の消費電力を低減することができる。特に、通常電力モード及び省電力モードを有するファクシミリ複合機において、省電力モード時の消費電力をユーザの使用形態に応じて低減することができる。さらに、操作性の良好なファクシミリ複合機を提供することができる。
【発明を実施するための最良の形態】
【００２１】
図１は、本発明の実施の形態によるファクシミリ複合機の一構成例を示したブロック図である。このファクシミリ複合機１００は、ファクシミリ本体１、外部インターフェース部２及び電源供給部３により構成される。
【００２２】
ファクシミリ本体１は、電話線コネクタＣＮ１を介して公衆通信回線に接続され、図示しない他のファクシミリ装置との間で文書情報の送受信（ファクシミリ送受信）を行うことができる。外部インターフェース部２は、ＵＳＢ（Universal Serial Bus）コネクタＣＮ２や、ＬＡＮ（Local Area Network）コネクタＣＮ３を介して、ＰＣなどの情報処理装置が接続されるインターフェース回路である。電源供給部３は、ファクシミリ本体１及び外部インターフェース部２へ電源を供給する電源回路である。
【００２３】
このファクシミリ複合機１００は、電話線コネクタＣＮ１に電話線を接続すれば、ＵＳＢコネクタＣＮ２やＬＡＮコネクタＣＮ３にＰＣが接続されていなくても、ファクシミリ送受信を行うことができる。また、ＰＣを接続すれば、ファクシミリ複合機１００をＰＣの周辺装置として使用することもできる。つまり、単体でファクシミリ装置として使用することができるとともに、必要に応じて、ＰＣのプリンタ装置やスキャナ装置として利用することもできる。
【００２４】
ファクシミリ本体１は、消費電力が異なる２つの動作モード、すなわち、通常電力モード及び省電力モードを有し、これらの動作モードの切り替えは自動的に行われている。省電力モードは、ファクシミリ本体１を構成する構成部品のうち、必要最小限の構成部品に対してのみ電源を供給する動作モードであり、通常電力モードに比べて、消費電力を低減することができる。
【００２５】
一方、外部インターフェース部２への電源供給は、上記動作モード及びユーザ設定情報に基づいて行われている。より具体的には、ファクシミリ本体１が省電力モードであり、かつ、ユーザがＰＣを接続しない旨の設定（ＰＣ非接続設定）を予め行っている場合には、外部インターフェース部２への電源供給が遮断され、その他の場合には電源供給が行われる。従って、省電力モード時において外部インターフェース部２へ電源供給を行うか否かは、ユーザによって選択される。
【００２６】
図示したファクシミリ本体１は、主制御部１０、データ記憶部１１、ハンドセット１２、網制御部１３、モデム１４、スキャナ１５、プリンタ１６、表示部１７及びキー操作部１８により構成される。
【００２７】
主制御部１０は、ファクシミリ複合機１００の主要な動作制御を行うマイクロプロセッサであり、ファクシミリ本体１だけでなく、外部インターフェース部２及び電源供給部３についても主制御部１０が動作制御を行っている。
【００２８】
データ記憶部１１は、主制御部１０が使用するプログラムやデータを記憶するメモリであり、ここでは、少なくとも動作モード情報１１ａ及びユーザ設定情報１１ｂを書き換え可能に保持する不揮発性メモリであるものとする。動作モード情報１１ａは、現在の動作モードとして、通常電力モード及び省電力モードのいずれかを保持しており、主制御部１０によって自動的に更新される。また、ユーザ設定情報１１ｂは、各ユーザごとの使用形態を予め登録しておくためのデータである。ここでは、一時的又は継続的を問わず、ファクシミリ複合機１００にＰＣを接続しない使用形態であることを示す１ビットのフラグデータからなるものとする。主制御部１０は、これらの動作モード情報１１ａ及びユーザ設定情報１１ｂに基づいて、電源供給部３を制御している。
【００２９】
網制御部１３は、ハンドセット１２又はモデム１４を電話線コネクタＣＮ１に切り替え接続している。すなわち、オフフック時にはハンドセットを公衆通信回線に接続し、ファクシミリ送受信時には、モデム１４を公衆通信回線に接続する。また、公衆通信回線からの着信信号を検出すれば、主制御部１０へ着信検出信号を出力して着信を通知する。
【００３０】
モデム１４は、網制御部１３を介してファクシミリ送受信を行うファクシミリ通信部である。すなわち、ファクシミリ送信時には、スキャナ１５での読取画像を符号化し、ファクシミリ通信情報として公衆通信回線へ送出する。また、ファクシミリ受信時には、公衆通信回線から受信したファクシミリ通信情報を復号化し、印刷画像としてプリンタ１６へ出力する。
【００３１】
スキャナ１５は、紙媒体に記録されている画像情報を光学的に読み取る光学読取装置であり、例えば、紙媒体に光を照射し、その反射光をラインセンサなどを用いて読み取っている。プリンタ１６は、画像情報を紙媒体に記録する記録装置であり、例えば、感熱方式、熱転写方式、インクジェット方式を採用した記録装置が使用される。
【００３２】
表示部１７は、ユーザに対し、ファクシミリ複合機１００の動作状態などを画面表示するための手段であり、液晶表示パネル及びバックライトにより構成される。キー操作部１８は、ユーザが操作入力を行うための手段であり、テンキーやスタートボタンなどの操作キーからなる。上述したユーザ設定情報１１ｂは、ユーザが、表示部１７を見ながらキー操作部１８を操作することによって変更することができる。
【００３３】
外部インターフェース部２は、ＵＳＢコントローラ２１及びＬＡＮコントローラ２２により構成される。ＵＳＢコントローラ２１は、ＵＳＢコネクタＣＮ２に接続されたインターフェース回路であり、ＵＳＢコネクタＣＮ２には、ＰＣなどの情報処理装置がケーブルを介して着脱可能に接続される。同様にして、ＬＡＮコントローラ２２は、ＬＡＮコネクタＣＮ３に接続されたインターフェース回路であり、ＬＡＮコネクタＣＮ３には、ＰＣなど情報処理装置がケーブルを介して着脱可能に接続される。
【００３４】
図２は、図１の外部インターフェース部２について詳細構成例を示したブロック図である。ＵＳＢコントローラ２１は、ＰＣとの間で信号送受信を行うＵＳＢ通信部２１ｃと、ＰＣの接続状態を検出する接続検出部２１ｄにより構成される。ユーザがＵＳＢコネクタＣＮ２に対しＰＣの着脱を行った場合、接続検出部２１ｄがこの着脱動作を検出し、主制御部１０へ通知する。全く同様にして、ＬＡＮコントローラ２２は、ＰＣとの間で信号送受信を行うＬＡＮ通信部２２ｃと、ＰＣの接続状態を検出する接続検出部２２ｄにより構成される。
【００３５】
図３の（ａ）〜（ｃ）は、ファクシミリ複合機１００の使用形態の例を示した図である。（ａ）には、ファクシミリ複合機１００を公衆通信回線１０１に接続し、単独でファクシミリ装置として使用する形態が示されている。（ｂ）には、ファクシミリ複合機１００にＵＳＢケーブルを介してＰＣ１０２を接続し、ファクシミリ装置として使用するとともに、ＰＣ１０２のプリンタ装置（いわゆるローカルプリンタ）として使用している形態が示されている。（ｃ）には、ＬＡＮケーブル及びＨＵＢ（集線装置）１０３を介して、ファクシミリ複合機１００に２台以上のＰＣ１０２を接続して使用する形態が示されている。つまり、ファクシミリ複合機１００が、単独でファクシミリ装置として使用されるとともに、２以上のＰＣ１０２によってネットワーク経由でプリンタ装置（いわゆるネットワークプリンタ）として使用される。なお、ＬＡＮケーブルを介して、１台のＰＣ１０２と接続する使用形態も可能であることは言うまでもない。
【００３６】
家庭用のファクシミリ複合機の場合、上記使用形態のうち、図３（ａ）の形態で使用しているユーザが最も多く、（ｂ）又は（ｃ）の形態で使用するユーザは比較的少なく、また、その頻度も低いと考えられる。このため、本実施の形態によるファクシミリ複合機１００では、ユーザ設定に応じて、省電力モード時に外部インターフェース部２への電源供給を遮断するように構成されている。
【００３７】
なお、図３（ｃ）の接続形態の場合、ファクシミリ複合機１００のＬＡＮコネクタＣＮ３にＨＵＢ１０３が接続されていることを接続検出部２２ｄが検出し、この検出結果をＰＣ１０２の接続状態として用いることもできる。
【００３８】
図４は、外部インターフェース部２への電源供給動作についての説明図であり、図中の○印は、外部インターフェース部２に電源が供給されていることを示し、×印は、電源供給が遮断されていることを示している。なお、−印は、その状態が存在しないことを示している。また、実線矢印３０は、自動的に行われる遷移を示し、破線矢印３１は、禁止されている遷移を示している。
【００３９】
図中の「ＰＣ接続設定」は、ユーザ設定情報１１ｂとして、ユーザが指定したファクシミリ複合機１００の使用形態である。「ＰＣ接続可」は、ＰＣが接続され、あるいは、ＰＣが接続され得る使用形態であり、この様な使用形態のユーザは、ユーザ設定情報１１ｂを予めリセットしてオフ状態にしておく。一方、「ＰＣ非接続」は、一時的又は継続的を問わずＰＣが接続されない使用形態であり、この様な使用形態のユーザは、ユーザ設定情報１１ｂを予めセットしてオン状態にしておく。
【００４０】
図中の「動作モード」は、動作モード情報１１ａによって示されるファクシミリ複合機１００の現在の動作モードであり、通常電力モード及び省電力モードのいずれかである。「ＰＣ接続状態」は、現時点におけるＰＣの接続状態であり、接続検出部２１ｄ，２２ｄによって検出される。「接続中」は、ＵＳＢコントローラ２１又はＬＡＮコントローラ２２にＰＣが接続されている状態であり、「非接続」は、いずれのコントローラ２１，２２にもＰＣが接続されていない状態である。
【００４１】
図４に○印で示した通り、ＰＣ接続設定が「ＰＣ接続可」に設定されている場合と、動作モードが通常電力モードである場合には、外部インターフェース部２への電源供給が行われる。つまり、いずれか一方の条件を満たせば、ＵＳＢコントローラ２１及びＬＡＮコントローラ２２への電源供給が行われ、ＰＣとの通信が可能となる。一方、×印で示した通り、ＰＣ接続設定が「ＰＣ非接続」に設定され、かつ、動作モードが省電力モードである場合には、外部インターフェース部２への電源供給が遮断される。
【００４２】
外部インターフェース部２への電源供給の遮断中、ファクシミリ複合機１００は、ＰＣとの通信を行うことができず、例えば、ＰＣから送信された印刷要求を受信することはできないが、外部インターフェース部２における消費電力を削減することができる。なお、ここでいう外部インターフェース部２への電源供給の遮断とは、ＵＳＢ通信部２１ｃ及びＬＡＮ通信部２２ｃだけでなく、接続検出部２１ｄ及び２２ｄについても電源供給を遮断することを意味する。
【００４３】
また、通常電力モード時に、接続検出部２１ｄ又は２２ｄによってＰＣの接続が検出された場合、ユーザ設定情報１１ｂがオン状態（ＰＣ非接続）であれば、主制御部１０によって自動的にオフ状態（ＰＣ接続可）へ変更される。つまり、図４に実線矢印３０で示された遷移が自動的に行われる。この様にして、ＰＣ接続状態の検出結果に基づいて、ユーザ設定情報１１ｂを自動変更することにより、その後に省電力モードへ移行した場合でも、外部インターフェース部２への電源供給が遮断されないようにすることができる。
【００４４】
さらに、接続検出部２１ｄ又は２２ｄによってＰＣの接続が検出されている場合、ユーザが、ユーザ設定情報１１ｂをオン状態（ＰＣ非接続）へ変更するのを禁止している。つまり、図４に破線矢印３１で示した遷移が禁止されている。このため、ユーザが、誤ってユーザ設定情報１１ｂを書き換えることにより、その後の省電力モードにおいてＰＣとの通信を行うことができなくなるのを防止することができる。
【００４５】
図５のステップＳ１０１〜Ｓ１０４は、動作モードの切り替え時における外部インターフェース部２への電源供給制御の一例を示したフローチャートであり、主制御部１０によって実行される処理が示されている。このファクシミリ複合機１００は、所定の期間、アイドリング状態が継続していると判断すれば省電力モードに移行し、アイドリング状態が終了すれば、通常電力モードへ復帰する。このような動作モードの切り替え制御は、主制御部１０によって行われている。
【００４６】
具体的には、通常電力モードにおいて、ファクシミリ送受信、ＰＣからの要求、ユーザ操作などのトリガーが発生するのを待っているアイドリング状態が一定時間継続した場合、主制御部１０は、動作モード情報１１ａを省電力モードへ書き換えて、動作モードを省電力モードへ移行させる。省電力モード時には、表示部１７のバックライト、モデム１４、スキャナ１５及びプリンタ１６への電源供給が遮断されるとともに、主制御部１０のクロック周波数が低下し、ファクシミリ複合機１００における消費電力が大幅に削減される。この省電力モードにおいて、公衆通信回線からの着信、ＰＣからの信号受信、ユーザ操作などのアイドリング状態を終了させるためのトリガーが外部から与えられた場合には、主制御部１０が、動作モード情報１１ａを通常電力モードへ書き換えて、動作モードを通常電力モードへ復帰させる。
【００４７】
この様なモード切替が行われる際、主制御部１０は、ユーザ設定情報１１ｂに基づいて、外部インターフェース部２への電源供給を制御している。すなわち、通常電力モードから省電力モードへ移行させる場合であり（ステップＳ１０１）、かつ、ユーザ設定情報がオン状態（ＰＣ非接続）である場合（ステップＳ１０２）には、電源供給部３に対し、外部インターフェース部２への電源供給の遮断を指示する（ステップＳ１０３）。その他の場合には、電源供給部３は、外部インターフェース部２への電源供給を行う（ステップＳ１０４）。
【００４８】
図６のステップＳ２０１〜Ｓ２０３は、ＰＣの接続状態が変化した場合における動作の一例を示したフローチャートである。このフローチャートは、通常電力モード時に主制御部１０において実行される処理が示されており、接続検出部２１ｄ，２２ｄにおける検出結果が変化した場合に開始される。
【００４９】
まず、ＰＣとの接続が解除された場合であれば、処理を終了する（ステップＳ２０１）。また、ユーザ設定情報１１ｂがオフ状態（ＰＣ接続可）であれば、処理を終了する（ステップＳ２０２）。一方、ユーザ設定情報１１ｂがオン状態（ＰＣ非接続）であるにもかかわらず、ファクシミリ複合機１００にＰＣが接続された場合には、主制御部１０が、ユーザ設定情報１１ｂをリセットして、オフ状態に変更する（ステップＳ２０３）。つまり、ファクシミリ複合機１００にＰＣを接続した場合、ユーザ設定情報１１ｂがオン状態であれば自動的にリセットされるので、ユーザがリセット操作を行う必要がない。このため、煩雑な設定操作を必要とせず、ファクシミリ複合機の操作に習熟していないユーザでも使いこなすことができる。
【００５０】
図７のステップＳ３０１〜Ｓ３０６は、ユーザ設定情報１１ｂの変更時における動作の一例を示したフローチャートであり、主制御部１０において実行される処理が示されている。
【００５１】
ユーザが、ユーザ設定情報１１ｂのセット操作を行った場合、主制御部１０は、接続検出部２１ｄ，２２ｄの検出結果に基づいて、ユーザ設定情報１１ｂをセットする（ステップＳ３０１〜Ｓ３０４）。すなわち、ＰＣが接続中でなければ、ユーザ設定情報１１ｂをオン状態へ変化させるが、ＰＣが接続中であれば、ユーザ設定情報１１ｂをオン状態へ変化させず、ユーザ設定情報１１ｂのセットが禁止されていることを示すメッセージを表示部１７に表示させる。
【００５２】
一方、ユーザが、ユーザ設定情報１１ｂのリセット操作を行った場合には、主制御部１０は、ユーザ設定情報１１ｂをリセットする（ステップＳ３０５，Ｓ３０６）。
【００５３】
本実施の形態によれば、ユーザの使用形態に応じて、ユーザが指定するユーザ設定情報１１ｂに基づいて、省電力モードにおける外部インターフェース部２への電源供給を遮断している。つまり、ＰＣが接続される使用形態の場合には、省電力モード時にも電源供給を行い、ＰＣが接続されない使用形態の場合には、省電力モード時に電源供給を遮断することができる。この様にして、各ユーザの使用形態に応じて、外部インターフェース部２への電源供給を遮断することにより、ＰＣが接続可能なファクシミリ複合機における省電力モード時の消費電力を削減することができる。
【００５４】
例えば、従来のファクシミリ複合機では、通常電力モードにおける消費電力が１０Ｗ以上であるのに対し、省電力モードにおける消費電力は、ＰＣが接続されているか否かに拘わらず５Ｗ程度であった。これに対し、本実施の形態によるファクシミリ複合機１００では、ＰＣを接続しない使用形態であれば、省電力モード時に外部インターフェース部２への電源供給も遮断することができるので、省電力モードにおける消費電力を２Ｗ程度にまで低減することが可能となる。
【００５５】
また、本実施の形態によれば、外部インターフェース部２がＰＣの接続状態を監視し、新たにＰＣが接続された場合にユーザ設定情報１１ｂがオン状態（ＰＣ非接続）であれば、ユーザ設定情報１１ｂをオフ状態（ＰＣ接続可）へ自動的に変更し、その後の省電力モードへの移行によって外部インターフェース部２への電源供給が遮断されるのを防止している。このため、ＰＣとの接続時に、ユーザがユーザ設定情報１１ｂを変更する必要がなく、操作性を向上させることができる。また、ＰＣを接続する使用形態であるにも拘わらず、ユーザが誤ってユーザ設定情報１１ｂをセットしていたような場合であっても、問題が生じることはない。
【００５６】
例えば、ユーザ設定情報１１ｂをオン状態にセットして工場出荷した場合、当該ファクシミリ複合機１００を購入したユーザがＰＣを接続しなければ、ユーザ設定情報１１ｂはオン状態に保持される一方、ＰＣを接続すれば、ユーザ設定情報１１ｂが自動的にリセットされ、オフ状態となる。このため、省電力モードにおいて、ＰＣとの通信又は消費電力削減のいずれを優先させるのかをユーザの使用形態に応じて決定することができる。
【００５７】
ただし、ＰＣとの接続が解除されても、ユーザ設定情報１１ｂが自動的にセットされることはない。ユーザ設定情報１１ｂが自動的にセットされると、その後、ユーザがファクシミリ複合機にＰＣを接続しても、その動作モードが省電力モードであれば、ＰＣとの通信を行うことができないからである。つまり、自動的にリセットされるが、自動的にセットされることはなく、ユーザ設定情報１１ｂのセットは、ユーザ操作によって行わなければならない。
【００５８】
さらに、本実施の形態によれば、ユーザがユーザ設定情報１１ｂをオフ状態（ＰＣ接続可）からオン状態（ＰＣ非接続）へ変更する操作を行った場合に、ＰＣとの接続中であれば上記変更操作を無効にしている。このため、ユーザがユーザ設定情報１１ｂを誤って変更するのを防止することができる。
【００５９】
なお、本実施の形態では、外部インターフェース部２を構成する２つのコントローラ２１，２２について、まとめて電源供給を制御する場合の例について説明したが、本発明はこの様な場合に限定されない。すなわち、外部インターフェース部２は、１つのコントローラ２１で構成されていてもよいし、異なる２以上のコントローラ２１，２２で構成される場合であっても、各コントローラ２１，２２ごとに、ＰＣの接続状態を検出し、個別に電源供給を制御するものであってもよい。
【００６０】
また、本実施の形態では、ＵＳＢコントローラ２１、ＬＡＮコントローラ２２を介して、ＰＣが接続される場合の例について説明したが、本発明は、この様な場合に限定されない。すなわち、ファクシミリ複合機に対して、外部装置が着脱可能に接続され、当該外部装置の接続検出を行うことができれば、外部装置はＰＣ以外の情報処理装置であってもよいし、また、ファクシミリ複合機と外部装置とのインターフェースはＵＳＢやＬＡＮ以外であってもよい。
【図面の簡単な説明】
【００６１】
【図１】本発明の実施の形態によるファクシミリ複合機の一構成例を示したブロック図である。
【図２】図１の外部インターフェース部２について詳細構成例を示したブロック図である。
【図３】ファクシミリ複合機１００の使用形態の例を示した図である。
【図４】外部インターフェース部２への電源供給動作についての説明図である。
【図５】動作モードの切り替え時における外部インターフェース部２への電源供給制御の一例を示したフローチャートである。
【図６】ＰＣの接続状態が変化した場合における動作の一例を示したフローチャートである。
【図７】ユーザ設定情報の変更時における動作の一例を示したフローチャートである。
【符号の説明】
【００６２】
１    ファクシミリ本体
２    外部インターフェース部
３    電源供給部
１０  主制御部
１１  データ記憶部
１１ａ  動作モード情報
１１ｂ  ユーザ設定情報
１２  ハンドセット
１３  網制御部
１４  モデム
１５  スキャナ
１６  プリンタ
１７  表示部
１８  キー操作部
２１  ＵＳＢコントローラ
２２  ＬＡＮコントローラ
２１ｃ  ＵＳＢ通信部
２２ｃ  ＬＡＮ通信部
２１ｄ，２２ｄ  接続検出部
１００  ファクシミリ複合機
１０１  公衆通信回線
１０２  ＰＣ
１０３  ＨＵＢ
ＣＮ１  電話線コネクタ
ＣＮ２  ＵＳＢコネクタ
ＣＮ３  ＬＡＮコネクタ
【図１】
0004522347.tif 000002
【図２】
0004522347.tif 000003
【図３】
0004522347.tif 000004
【図４】
0004522347.tif 000005
【図５】
0004522347.tif 000006
【図６】
0004522347.tif 000007
【図７】
0004522347.tif 000008